(57)【要約】【課題】浴槽内に居る入浴者の首に向かって取り込んだ湯水を吐出することができる浴槽循水環型吐水装置であって、浴槽内の湯水の温度が高い場合であっても入浴者が早期に逆上せてしまうことを抑制できる浴槽水循環型吐水装置又はそれを備えた浴槽装置を提供する。【解決手段】本発明は、浴槽内の湯水を取り込み、取り込んだ湯水を浴槽の水面よりも上方から浴槽内へ吐出させる浴槽水循環型吐水装置であって、湯水を浴槽内へ吐出させる吐水孔が設けられた吐水部と、浴槽内の湯水を吐水部へ供給する供給部と、供給部による湯水の供給動作を制御する制御部と、湯水の温度を検出する検出部と、を備え、制御部は、検出部によって検出された湯水の温度が第１温度より高い温度であった場合には、吐水孔から吐水される湯水の単位時間当たりの合計熱量が少なくなるように制御を行う自動制御機能を有する。【選択図】図１２
2019150334.tif 000002
【特許請求の範囲】
【請求項１】
浴槽内の湯水を取り込み、取り込んだ前記湯水を浴槽の水面よりも上方から浴槽内へ吐出させる浴槽水循環型吐水装置であって、
前記湯水を浴槽内へ吐出させる吐水孔が設けられた吐水部と、
浴槽内の湯水を前記吐水部へ供給する供給部と、
前記供給部による前記湯水の供給動作を制御する制御部と、
前記湯水の温度を検出する検出部と、を備え、
前記制御部は、前記検出部によって検出された前記湯水の温度が第１温度より高い温度であった場合には、前記吐水孔から吐水される前記湯水の単位時間当たりの合計熱量を、前記検出部によって検出された前記湯水の温度が第１温度であった場合に前記吐水孔から吐水される前記湯水の単位時間当たりの合計熱量以下の熱量になるように制御を行う自動制御機能を有することを特徴とする浴槽水循環型吐水装置。
【請求項２】
前記自動制御機能は、
前記検出部によって検出された前記湯水の温度が前記第１温度であった場合には、前記吐水孔から前記湯水を第１の流量で吐出可能とし、
前記検出部によって検出された前記湯水の温度が前記第１温度より高い温度である第２温度であった場合には、前記吐水孔から前記湯水を前記第１の流量以下の流量である第２の流量で吐出可能とすることである請求項１に記載の浴槽水循環型吐水装置。
【請求項３】
前記自動制御機能は、
前記検出部によって検出された前記湯水の温度が前記第１温度であった場合には、前記吐水孔から前記湯水を第１の流量で吐出可能とし、
前記検出部によって検出された前記湯水の温度が前記第１温度より高い温度である第２温度であった場合には、前記吐水孔からの前記湯水の吐出を禁止することである請求項１に記載の浴槽水循環型吐水装置。
【請求項４】
前記制御部は、水道水を前記吐水部へ供給するように制御可能であり、
前記自動制御機能は、
前記検出部によって検出された前記湯水の温度が前記第１温度であった場合には、前記吐水孔から前記湯水を吐出可能とし、
前記検出部によって検出された前記湯水の温度が前記第１温度より高い温度である第２温度であった場合には、前記水道水及び前記湯水を前記吐水孔から吐水可能とすることである請求項１に記載の浴槽水循環型吐水装置。
【請求項５】
前記検出部によって検出された前記湯水の温度が前記第２温度であった場合に、前記吐水孔から吐水される前記水道水及び前記湯水のうち前記湯水の流量は、前記検出部によって検出された前記湯水の温度が前記第１温度であった場合に、前記吐水孔から吐水される前記湯水の流量より、少なくなるように構成されたことを特徴とする請求項４に記載の浴槽水循環型吐水装置。
【請求項６】
浴槽と、前記浴槽内に使用者が設定した温度の湯水を給水する給水部と、前記浴槽内の湯水を取り込み、取り込んだ前記湯水を前記浴槽の水面よりも上方から前記浴槽内へ吐出させる浴槽水循環型吐水装置と、を備えた浴槽装置であって、
前記浴槽水循環型吐水装置は、前記湯水を浴槽内へ吐出させる吐水孔が設けられた吐水部と、
前記浴槽内の湯水を前記吐水部へ供給する供給部と、
前記供給部による前記湯水の供給動作を制御する制御部と、を有し、
前記制御部は、使用者が設定した前記湯水の温度が第１温度より高い温度であった場合には、前記吐水孔から吐水される前記湯水の単位時間当たりの合計熱量が、使用者が設定した前記湯水の温度が第１温度であった場合に前記吐水孔から吐水される前記湯水の単位時間当たりの合計熱量以下の熱量となるように制御を行う自動制御機能を有することを特徴とする浴槽装置。
【発明の詳細な説明】
【技術分野】
【０００１】
本発明は、浴槽内の湯水を取り込み、取り込んだ前記湯水を浴槽の水面よりも上方から浴槽内へ吐出させる浴槽水循環型吐水装置に関する。
【背景技術】
【０００２】
従来から、浴槽内の湯水を取り込み、浴槽の水面よりも上方から、浴槽内に居る入浴者の首に向かって取り込んだ湯水を吐出する浴槽水循環型吐水装置は知られている。人間の首には、皮膚表面から比較的近い位置に頸動脈や頸静脈などの太い血管が複数通っているため、このような浴槽水循環型吐水装置によって浴槽の水面より上方に出ている入浴者の首を暖めることで、入浴者の身体を早期に暖めることができる。
【先行技術文献】
【特許文献】
【０００３】
【特許文献１】特開２０１６−７３６０号公報
【発明の概要】
【発明が解決しようとする課題】
【０００４】
一方で、浴槽内の湯水の温度は、入浴者の好みによって、例えば高めに設定されることがある。このような高い温度の湯水を、浴槽水循環型吐水装置によって入浴者の首に吐出させてしまうと、入浴者の首が急激かつ必要以上に暖められてしまう。その結果、頸動脈や頸静脈などの太い血管が急激かつ必要以上に暖められてしまい、入浴者が早期に逆上せてしまい、快適な入浴を長時間楽しめない、といった問題がある。
【０００５】
そこで、本発明は、浴槽内に居る入浴者の首に向かって取り込んだ湯水を吐出することができる浴槽水循環型吐水装置であって、浴槽内の湯水の温度が高い場合であっても入浴者が早期に逆上せてしまうことを抑制できる浴槽水循環型吐水装置又はそれを備えた浴槽装置を提供することを目的としている。
【課題を解決するための手段】
【０００６】
上記の目的を達成するために、本発明は、浴槽内の湯水を取り込み、取り込んだ前記湯水を浴槽の水面よりも上方から浴槽内へ吐出させる浴槽水循環型吐水装置であって、前記湯水を浴槽内へ吐出させる吐水孔が設けられた吐水部と、浴槽内の湯水を前記吐水部へ供給する供給部と、前記供給部による前記湯水の供給動作を制御する制御部と、前記湯水の温度を検出する検出部と、を備え、前記制御部は、前記検出部によって検出された前記湯水の温度が第１温度より高い温度であった場合には、前記吐水孔から吐水される前記湯水の単位時間当たりの合計熱量を、前記検出部によって検出された前記湯水の温度が前記第１温度であった場合に前記吐水孔から吐水される前記湯水の単位時間当たりの合計熱量以下の熱量になるように制御を行う自動制御機能を有することを特徴としている。
このように構成された本発明においては、検出部によって検出された湯水の温度が第１温度より高い温度であった場合には、吐水孔から吐水される湯水の単位時間当たりの合計熱量が少なくなるように制御を行うため、高い温度の湯水を浴槽水循環型吐水装置によって入浴者の肩に吐出した際にも、入浴者の首が急激かつ必要以上に暖められてしまうことを抑制でき、入浴者が早期に逆上せてしまうことを抑制できる。したがって、入浴者はより快適な入浴を楽しめるようになる。
【０００７】
本発明において、好ましくは、前記自動制御機能は、前記検出部によって検出された前記湯水の温度が第１温度であった場合には、前記吐水孔から前記湯水を第１の流量で吐出可能とし、前記検出部によって検出された前記湯水の温度が前記第１温度より高い温度である第２温度であった場合には、前記吐水孔から前記湯水を前記第１の流量以下の流量である第２の流量で吐出可能とすることである。
このように構成された本発明においては、検出部によって検出された湯水の温度が第１温度であった場合には吐水孔から湯水を第１の流量で吐出可能とし、湯水の温度が第１温度より高い温度である第２温度であった場合には吐水孔から湯水を第１の流量以下の流量である第２の流量で吐出可能とするため、高い温度の湯水を浴槽水循環型吐水装置によって入浴者の首に吐出した際にも、入浴者の首が急激かつ必要以上に暖められてしまうことを抑制できる。したがって、入浴者が早期に逆上せてしまうことを抑制でき、入浴者はより快適な入浴を楽しめるようになる。
【０００８】
本発明において、好ましくは、前記自動制御機能は、前記検出部によって検出された前記湯水の温度が前記第１温度であった場合には、前記吐水孔から前記湯水を第１の流量で吐出可能とし、前記検出部によって検出された前記湯水の温度が前記第１温度より高い温度である第２温度であった場合には、前記吐水孔からの前記湯水の吐出を禁止することである。
このように構成された本発明においては、検出部によって検出された湯水の温度が第１温度であった場合には吐水孔から湯水を第１の流量で吐出可能とし、湯水の温度が第１温度より高い温度である第２温度であった場合には吐水孔からの湯水の吐出を禁止するため、高い温度の湯水を浴槽水循環型吐水装置によって入浴者の首に吐出した際にも、入浴者の首が急激かつ必要以上に暖められてしまうことを抑制できる。したがって、入浴者が早期に逆上せてしまうことを抑制でき、入浴者はより快適な入浴を楽しめるようになる。
【０００９】
本発明において、好ましくは、前記制御部は、水道水を前記吐水部へ供給するように制御可能であり、前記自動制御機能は、前記検出部によって検出された前記湯水の温度が前記第１温度であった場合には、前記吐水孔から前記湯水を吐出可能とし、前記検出部によって検出された前記湯水の温度が前記第１温度より高い温度である第２温度であった場合には、前記水道水及び前記湯水を前記吐水孔から吐水可能とすることである。
このように構成された本発明においては、検出部によって検出された湯水の温度が第１温度であった場合には吐水孔から湯水を吐出可能とし、湯水の温度が第１温度より高い温度である第２温度であった場合には水道水及び湯水を吐水孔から吐水可能とするため、高い温度の湯水を浴槽水循環型吐水装置によって入浴者の首に吐出した際にも、入浴者の首が急激かつ必要以上に暖められてしまうことを抑制できる。したがって、入浴者が早期に逆上せてしまうことを抑制でき、入浴者はより快適な入浴を楽しめるようになる。
【００１０】
本発明において、好ましくは、前記検出部によって検出された前記湯水の温度が前記第２温度であった場合に、前記吐水孔から吐水される前記水道水及び前記湯水のうち前記湯水の流量は、前記検出部によって検出された前記湯水の温度が前記第１温度であった場合に、前記吐水孔から吐水される前記湯水の流量より、少なくなるように構成された。
このように構成された本発明においては、高い温度の湯水を浴槽水循環型吐水装置によって入浴者の首に吐出した際に入浴者の首が急激かつ必要以上に暖められてしまうことを抑制するために、吐水孔から水道水を湯水に混ぜて吐出させた場合にも、吐水孔から吐出される全体の水の流量が上昇してしまうことで流速が上昇してしまうことを抑制できる。したがって、吐水孔から水道水を湯水に混ぜて吐出させた場合にも、設計者が狙った入浴者の首の位置に水が当たらなくなってしまうことを抑制でき、入浴者は首への打たせ湯効果を受けることができるため、快適な入浴を楽しめるようになる。
【００１１】
また、上記の目的を達成するために、本発明は、浴槽と、前記浴槽内に使用者が設定した温度の湯水を給水する給水部と、前記浴槽内の湯水を取り込み、取り込んだ前記湯水を前記浴槽の水面よりも上方から前記浴槽内へ吐出させる浴槽水循環型吐水装置と、を備えた浴槽装置であって、前記浴槽水循環型吐水装置は、前記湯水を浴槽内へ吐出させる吐水孔が設けられた吐水部と、前記浴槽内の湯水を前記吐水部へ供給する供給部と、前記供給部による前記湯水の供給動作を制御する制御部と、を有し、前記制御部は、使用者が設定した前記湯水の温度が第１温度より高い温度であった場合には、前記吐水孔から吐水される前記湯水の単位時間当たりの合計熱量を、使用者が設定した前記湯水の温度が前記第１温度であった場合に前記吐水孔から吐水される前記湯水の単位時間当たりの合計熱量以下の熱量になるように制御を行う自動制御機能を有することを特徴としている。
このように構成された本発明においては、使用者が設定した湯水の温度が第１温度より高い温度であった場合には、吐水孔から吐水される湯水の単位時間当たりの合計熱量が少なくなるように制御を行うため、高い温度の湯水を浴槽水循環型吐水装置によって入浴者の肩に吐出した際にも、入浴者の首が急激かつ必要以上に暖められてしまうことを抑制でき、入浴者が早期に逆上せてしまうことを抑制できる。したがって、入浴者はより快適な入浴を楽しめるようになる。
【発明の効果】
【００１２】
本発明の浴槽水循環型吐水装置又はそれを備えた浴槽装置によれば、浴槽内に居る入浴者の首に向かって取り込んだ湯水を吐出することができる浴槽水循環型吐水装置であって、浴槽内の湯水の温度が高い場合であっても入浴者が早期に逆上せてしまうことを抑制できる。
【図面の簡単な説明】
【００１３】
【図１】本発明の実施形態による浴槽用吐水装置が適用される浴槽装置を示す概略斜視図である。
【図２】図１の上面図である。
【図３】図２のＩＩＩ−ＩＩＩ線に沿って見た概略断面図である。
【図４】図１の側面図である。
【図５】図３に示す本発明の実施形態による浴槽用吐水装置を拡大して紙面の左右を反転した状態で示す部分拡大断面図である。
【図６】図３のＶＩ−ＶＩ線に沿って見た断面図である。
【図７】図６のＶＩＩ−ＶＩＩ線に沿って見た断面図である。
【図８】図５のＶＩＩＩ−ＶＩＩＩ線に沿って見た断面図である。
【図９】本発明の実施形態による浴槽用吐水装置を正面から見た正面図である。
【図１０】本発明の実施形態による浴槽用吐水装置の貯留室に流入した水が、傾斜部及び絞り流路を通って吐水口部から吐水される様子を示す図である。
【図１１】本発明の実施形態による浴槽用吐水装置が設けられた浴槽内に座っている使用者に対し、吐水口部からの吐水が行われている様子を示す斜視図である。
【図１２】本発明の実施形態による浴槽装置における、制御動作を示すフローチャートである。
【図１３】本発明の他の実施形態による浴槽装置における、制御動作を示すフローチャートである。
【図１４】本発明の他の実施形態による浴槽装置における、制御動作を示すフローチャートである。
【図１５】本発明の他の実施形態による浴槽装置における、制御動作を示すフローチャートである。
【図１６】本発明の実施形態による浴槽装置における、検出部によって検出された浴槽内の水と吐水口部から吐出される水の熱量の関係を表すグラフである。
【発明を実施するための形態】
【００１４】
次に、添付図面を参照して本発明の実施形態による浴槽用吐水装置が適用される浴槽装置を説明する。
図１は本発明の実施形態による浴槽用吐水装置が適用される浴槽装置を示す概略斜視図であり、図２は図１の上面図であり、図３は図２のＩＩＩ−ＩＩＩ線に沿って見た概略断面図であり、図４は図１の側面図である。
【００１５】
図１及び図２に示すように、本発明の一実施形態による浴槽用吐水装置（浴槽水循環型吐水装置）１が適用される浴槽装置３は、浴槽２と、使用者Ｈが操作部３０（後述）を操作することによって、浴槽２内へ湯水を供給させる給水部１０と、を備える。浴槽用吐水装置１は、浴槽２に設置されている。浴槽２は、給水部１０から供給された水（湯を含む）を貯留する。なお、本実施形態において、浴槽用吐水装置１の後述する吐水部５の吐水口部（吐水孔）４が設けられる側を前方向、これと反対側の貯留室３６が設けられる側を後方向、吐水口部４を正面から見た状態で右側を右方向、左側を左方向という。給水部１０が浴槽２内へ供給する水の温度は、使用者Ｈが操作部３０（後述）を操作することによって、設定される。
【００１６】
浴槽２は、底部２ａと、使用者Ｈの背中が接する短辺側の縦壁２ｂと、浴槽２の長辺側の側壁２ｄと、縦壁２ｂの上部と接続され且つ浴槽２の上面を形成する上端部２ｃとを備えている。上端部２ｃは、浴槽内に座っている使用者Ｈの上半身、例えば頭部、首部、又は肩部に比較的近い高さとして設定されている。側壁２ｄには第１取水口６及び第２取水口２２が形成されている。
浴槽２は、浴槽２の壁面の上部を水平方向で弧状に形成したいわゆるラウンドタイプの浴槽である。なお、浴槽２は、浴槽２の壁面の上部を水平方向で円弧状に形成したいわゆるクレイドルタイプの浴槽、円形の浴槽、又は縦壁２ｂが長辺を形成するようなワイドタイプの浴槽であってもよい。
【００１７】
図３に示すように、浴槽用吐水装置１は、供給管から供給される水を浴槽２内に吐水させる。浴槽用吐水装置１は、浴槽２の上端部２ｃの内側縁部分に配置されている。浴槽用吐水装置１には、水を浴槽２内に向けて水平向き且つ帯状に吐水させる吐水部５の吐水口部４が形成されている。
【００１８】
図３及び図４に示すように、浴槽装置３は、さらに、第１取水口６から延びる第１流路８と、第１流路８上に設けられ且つ浴槽２内の水を吸引して下流側に圧送するポンプ（供給部）１０と、第１流路８の下流端で水の流れを制御する三方弁１２と、三方弁１２から吐水口部４側に延びる第２流路１４と、三方弁１２から第２流路１４と別に延びる第３流路１６と、第３流路１６から供給された水を浴槽２内にブロー吐水するブロー吐水部１８と、第２流路１４の下流部分に設けられるジェットポンプユニット２０と、第２取水口２２からジェットポンプユニット２０まで延びる第４流路２４と、ジェットポンプユニット２０から垂直上方に延びる上昇管２６と、ポンプ１０及び三方弁１２を制御する制御部２８と、浴槽２内の水の温度を検出する湯温センサ（検出部）９と、使用者Ｈが操作する操作部３０と、を備えている。検出部９は、制御部２８により制御されるようになっている。なお、この検出部９は、浴槽２の内壁において、吐水装置１が設置されている壁面側ではなく、第１取水口６又は第２取水口２２が形成されている壁面側に形成されていることが、より好ましい。
【００１９】
ポンプ１０は、制御部２８と電気的に接続され、制御部２８により駆動制御されるようになっている。
【００２０】
三方弁１２は、第１流路８から供給される水を、第２流路１４、及び第３流路１６のうちの両方又はいずれか一方に選択的に供給することができる。三方弁１２は、流量の分配割合を自由に変更することができる。三方弁１２は、制御部２８と電気的に接続され、制御部２８により電気的に開閉制御されるようになっている。第２流路１４は、三方弁１２からジェットポンプユニット２０まで延びる流路を形成している。
【００２１】
制御部２８は、浴室の壁面（図示せず）の裏側に取付けられている。制御部２８は、ポンプ１０、三方弁１２、操作部３０等と、電気的に接続され、上述の各部分を操作できるようになっている。制御部２８は、操作部３０からの操作信号を受けて又は記憶されたプログラム等に従って各機器の制御を行う。制御部２８は、浴槽用吐水装置１を適切に制御することができるようなメモリ等の記憶装置（図示せず）及び演算装置（図示せず）を備えている。
【００２２】
操作部３０は、使用者Ｈが浴槽用吐水装置１のＯＮ、ＯＦＦを操作できるように設けられ、浴室内の壁面に取付けられている。使用者Ｈが操作部３０を操作した情報が電気信号により操作部３０から制御部２８に送られる。
【００２３】
ジェットポンプユニット２０は、ジェットポンプ作用により引き込まれる水が貯留されるチャンバー部３２と、第２流路１４の下流端に配置されたジェットノズル３４と、を備えている。浴槽用吐水装置１はジェットポンプユニット２０を採用することにより比較的小型のポンプ１０を使用して吐水口部４から大流量の肩湯吐水を行うことができる。
【００２４】
チャンバー部３２は、箱型の貯水室を形成し、第４流路２４の下流端がチャンバー部３２に接続されている。チャンバー部３２は、浴槽２と連通されている。チャンバー部３２の底部には、ジェットノズル３４が垂直上方に向けて取りつけられている。チャンバー部３２の上面においては、このジェットノズル３４と対向する位置に開口が形成され、この開口から上昇管２６が上方に延びている。
【００２５】
ジェットノズル３４は、ポンプ１０から供給された水をチャンバー部３２を通して上昇管２６内に向けて噴射する。ジェットノズル３４は、チャンバー部３２を通るように水を噴射するので、チャンバー部３２内から水を引き込むジェットポンプ作用を誘発させる。ジェットノズル３４は、その内部の流路の径を、ジェットノズル３４の上流側の第２流路１４の径よりも絞るように形成されている。従って、ポンプ１０により圧送された水は、ジェットノズル３４内でさらに加速され、ジェットノズル３４から高速の水流として噴出される。ジェットノズル３４から噴射された高速の噴流は、チャンバー部３２内の水を引き込むことによりその流量が増大され且つ流速が減少する。
上昇管２６は、チャンバー部３２から垂直上方に延びる円管状の流路を形成している。
【００２６】
次に、図５乃至図９を参照して、浴槽用吐水装置１について説明する。
図５は図３に示す本発明の実施形態による浴槽用吐水装置を拡大して紙面の左右を反転した状態で示す部分拡大断面図であり、図６は図３のＶＩ−ＶＩ線に沿って見た断面図であり、図７は図６のＶＩＩ−ＶＩＩ線に沿って見た断面図であり、図８は図５のＶＩＩＩ−ＶＩＩＩ線に沿って見た断面図であり、図９は本発明の実施形態による浴槽用吐水装置を正面から見た正面図である。
【００２７】
浴槽用吐水装置１は、上昇管２６から流入した水を、一時的に貯留するとともに自身の内部に広げる貯留室３６と、貯留室３６と絞り流路３８との間に設けられる傾斜部４２と、左右方向に延びる幅広形状に形成された吐水部５の吐水口部４と、貯留室３６よりも絞られた流路を形成し且つ吐水口部４まで延びる絞り流路３８とを有している。
【００２８】
貯留室３６は、上昇管２６の下流端に接続されている。貯留室３６は、その内部が左右方向に延びて形成されている。貯留室３６は、上面視で、側壁３６ｅの前方側が左右方向に広がるように形成されている。貯留室３６の側壁３６ｅは、後方側から前方側に向かうにつれ徐々に前方向きに湾曲するように形成されている。貯留室３６は、左右方向に広がる流路を形成しており、貯留室３６において水を減速させ且つ一時的に貯留するとともに、水を左右方向に広げるようになっている。
【００２９】
貯留室３６には、上昇管２６の接続部と傾斜部４２との間にリブ４４が設けられている。このリブ４４は、上昇管２６の接続部の近傍に配置される。リブ４４は、天井面３６ｄから下方に突出する凸部を形成し且つ対向する底面３６ｂとの間の流路断面積を小さくするように形成されている。リブ４４は、貯留室３６の右側の側壁３６ｅから左側の側壁まで貯留室３６内を左右方向に横断するように形成される。なお、リブ４４が、側壁３６ｅの近傍領域においてのみ形成されていてもよい。
【００３０】
リブ４４により、流路断面積が小さくされ、貯留室３６に流入して減速された水流を再び加速させ、貯留室３６の側壁３６ｅに沿って流れる水が側壁３６ｅの湾曲面から剥離することにより渦流を形成することを抑制する。リブ４４と貯留室３６の底面３６ｂとの間の流路断面積が、左右方向にほぼ均一に狭くなっているので、水が左右方向においてほぼ均一に前方向きに加速される。リブ４４は、下流側の絞り流路３８に流入する水の流量を左右方向でほぼ均一にするような左右流量均一手段を形成している。
【００３１】
傾斜部４２は、貯留室３６と絞り流路３８との間の底面において、貯留室３６から絞り流路３８に向かって上昇する傾斜面を形成している。傾斜部４２は、左右方向に同じ形状で形成され、いずれの位置においても前後方向の長さ及び傾斜角度が一定に形成されている。傾斜部４２は、上下方向の流路断面積を、前方側に向かうにつれて徐々に小さくするように形成されている。よって、傾斜部４２は、水の流れを乱すことを抑制しながら徐々に加速させることができる。
【００３２】
貯留室３６との接続部分である傾斜部４２の上流端４２ａが、吐水口部４の左右端部分４ｂを結ぶ仮想線Ａと平行に延びるように形成されている。絞り流路３８との接続部分である傾斜部４２の下流端４２ｂ（及び絞り流路３８の入口３８ｂ）も、吐水口部４の左右端部分４ｂを結ぶ仮想線Ａと平行に延びるように形成されている。傾斜部４２の上流端４２ａから絞り流路３８の中央部分３８ｃを通り吐水口部４までの前後方向の長さＬ２は、上流端４２ａから絞り流路３８の左右端部分３８ｄを通り吐水口部４までの前後方向の長さＬ１よりも短く形成されている。
【００３３】
吐水口部４は、浴槽２の上端部２ｃ上で内側且つ水平向きの開口を形成し、左右方向に幅広の水流を浴槽内に座っている状態の使用者の首や肩方向に向けて吐水させる肩湯吐水を行うようになっている。吐水口部４は、上面視で、この吐水口部４の左右方向の中央部分４ａが左右端部分４ｂよりも後方に位置するように湾曲して形成されている。吐水口部４は、上面視で弧状の縦壁２ｂに沿うように弧状に形成されている。また、吐水口部４は、正面視で、長方形の開口を形成している。吐水口部４の開口の幅は、使用者の肩幅程度に形成され、その開口の高さは数ミリ程度に形成され、吐水口部４から膜状の吐水がなされるようになっている。
【００３４】
次に、図５乃至図９により、絞り流路３８について詳細に説明する。
絞り流路３８は、傾斜部４２と吐水口部４との間に形成されている。絞り流路３８は、流路の高さが貯留室３６及び傾斜部４２内の流路の高さよりも低く形成されている。さらに、絞り流路３８は、流入した水を加速させるように、貯留室３６の流路断面積及び傾斜部４２の流路断面積より小さい流路断面積を有する。絞り流路３８の底面３８ａは、ほぼ平坦に形成されている。絞り流路３８、傾斜部４２及び貯留室３６の底面には、水の残留を抑制する水抜き用の溝部４０が形成されている。
【００３５】
絞り流路３８は、上面視で、入口３８ｂが直線状に形成され、出口（吐水口部４）の左右方向の中央部分３８ｃが左右端部分３８ｄよりも後方に位置するように湾曲して形成されている。絞り流路３８は、中央部分３８ｃを通過する水の流速の低下を、中央部分３８ｃよりも左右端側の左右端部分３８ｄを通過する水の流速の低下よりも小さくさせる流速調整手段を備えている。絞り流路３８の流速調整手段は、絞り流路３８の中央部分３８ｃの長さＸ２を、左右端部分３８ｄの長さＸ１より短くすることにより形成される。長さＸ２は、中央部分３８ｃの入口３８ｂから吐水口部４までの長さである。長さＸ１は、左右端部分３８ｄの入口３８ｂから吐水口部４までの長さである。なお、絞り流路３８は、入口３８ｂから吐水口部４までの流路の高さＨ１を一定に形成している。さらに、絞り流路３８の流速調整手段においては、絞り流路３８の中央部分３８ｃから左右端部分３８ｄまでの流路の高さＨ１が一定に形成されている。これにより、流路の高さを変更することなく、中央部分３８ｃを通過する水の圧力損失を、左右端部分３８ｄを通過する水の圧力損失よりも小さくさせることができる。よって、吐水口部４の高さを中央部分３８ｃから左右端部分３８ｄまで一定の高さとすることで、幅広の膜状に吐出された水の膜厚が乱れてしまって吐出された膜状の水が左右に分断されてしまうことを抑制しながらも、吐水口部４の中央部分３８ｃから吐水される水の流速を、吐水口部４の左右端部分３８ｄから吐水される水の流速よりも大きくすることができる。なお、高さＨ１が一定には、中央部分３８ｃの高さと左右端部分３８ｄの高さとの差が所定範囲内となるほぼ一定の場合、例えば、中央部分３８ｃの高さが、左右端部分３８ｄの高さの９０％〜１１０％の高さとなる場合も含まれる。
【００３６】
図８に示すように、絞り流路３８の入口３８ｂは、長方形形状に形成され、中央部分３８ｃから左右端部分３８ｄまで流路の高さＨ１が一定に形成されている。また、図９に示すように、絞り流路３８の出口である吐水口部４も、正面視で長方形形状に形成され、中央部分３８ｃ（中央部分４ａ）から左右端部分３８ｄ（左右端部分４ｂ）まで流路の高さＨ２が一定に形成されている。吐水口部４の流路の高さＨ２は絞り流路３８の流路の高さＨ１よりもわずかに低く絞られている。なお、吐水口部４の流路の高さＨ２は絞り流路３８の流路の高さＨ１と同じにされてもよい。なお、高さＨ２が一定には、中央部分４ａの高さと左右端部分４ｂの高さとの差が所定範囲内となるほぼ一定の場合、例えば、中央部分４ａの高さが、左右端部分４ｂの高さの９０％〜１１０％の高さとなる場合も含まれる。
【００３７】
次に、図１０及び図１１により、浴槽用吐水装置１による吐水口部４からの吐水の動作（作用）を説明する。
使用者Ｈの操作部３０の操作により制御部２８はポンプ１０を駆動させる。ポンプ１０は、浴槽２内の水を第１流路８から吸引し、下流側の第２流路１４に圧送する。水は、第２流路１４からジェットノズル３４に供給され、ジェットノズル３４から噴射された湯水がジェットポンプ作用によりチャンバー部３２内の水を引き込みながら上昇管２６を上昇し、貯留室３６内に流入する。
【００３８】
図１０に示すように、上昇管２６から貯留室３６内に流入した水は、矢印Ｆ１に示すように、貯留室３６において減速されるとともに左右方向に広がるように流れる。この水は、側壁３６ｅの湾曲した面から剥離する等して渦流を形成する前に、リブ４４と底面３６ｂとの間に流入する。このとき、リブ４４と底面３６ｂとの間の流路断面積が、狭くなっているので、水が、矢印Ｆ２に示すように、加速される。Ｆ２はリブ４４の下部を流れるため点線により示す。このとき、リブ４４と底面３６ｂとの間の流路断面積は、左右方向においてほぼ均一に狭くなっているので、水が左右方向のいずれの位置においてもほぼ均一に加速される。このとき、リブ４４は各水流のベクトルを維持したまま加速させている。従って、水が加速されることにより、渦流を形成してしまうことを抑制することができるとともに、左右方向においてほぼ均一に整流された流れを形成することができる。
【００３９】
リブ４４を通過した水は、矢印Ｆ３に示すように、貯留室３６内で再減速されるとともにさらに左右方向に広がるように流れる。このとき、水は、渦流を形成してしまうほどに乱れることは抑制され、左右方向のいずれの位置においてもほぼ均一に整流された流れを維持することができる。
【００４０】
傾斜部４２は、流路断面積を、前方側に向かうにつれて徐々に小さくするように形成されている。よって、左右方向に広がった水は、矢印Ｆ４に示すように、傾斜部４２において再び徐々に加速される。また、貯留室３６と傾斜部４２との接続部分である傾斜部４２の上流端４２ａが、吐水口部４の左右端部分４ｂを結ぶ仮想線Ａと平行に延びるように形成されている。よって、水が乱れを抑制し且つ水流のベクトルを維持したまま上流端４２ａから傾斜部４２に流入される。従って、水が仮想線Ａに対して比較的均等に広がるように流れることができる。また、絞り流路３８と傾斜部４２との接続部分である傾斜部４２の下流端４２ｂ（及び絞り流路３８の入口３８ｂ）が、仮想線Ａと平行に延びるように形成されている。よって、水が乱れを抑制し且つ水流のベクトルを維持したまま下流端４２ｂから絞り流路３８に流入される。従って、水が仮想線Ａに対して比較的均等に広がるように流れることができる。よって、水の流れが、傾斜部４２において、乱されることを抑制しながら徐々に加速され、左右方向にほぼ均一に整流された流れを維持した状態で絞り流路３８に流入される。
本実施形態のような傾斜部４２の構造によれば、後述する比較例のように傾斜部４２の上流端４２ａや下流端４２ｂが吐水口部４の形状に対応して湾曲して形成されている場合のように湾曲した傾斜部４２に沿って水流のベクトルが曲がり左右均一な吐水が行えなくなることを防ぐことができる。
なお、「平行」には、絞り流路３８と傾斜部４２との接続部分が、仮想線Ａに対して比較的小さい角度範囲内で傾斜するほぼ平行な場合、例えば、絞り流路３８と傾斜部４２との接続部分が、仮想線Ａに対して−５度〜５度の角度で傾斜する場合も含まれる。同様に、「平行」には、貯留室３６と傾斜部４２との接続部分が、仮想線Ａに対して比較的小さい角度範囲内で傾斜するほぼ平行な場合、例えば、貯留室３６と傾斜部４２との接続部分が、仮想線Ａに対して−５度〜５度の角度で傾斜する場合も含まれる。
【００４１】
傾斜部４２から流入した水は、絞り流路３８においてさらに加速される。水は、矢印Ｆ５に示すように、絞り流路３８の入口３８ｂから、流入したときのほぼ均一に整流された流れ方向を維持した状態で吐水口部４まで流れる。このように絞り流路３８は、基本的には水を加速する機能を有するが、例えば底面３８ａ（図５参照）や天井面等の流路の壁面の抵抗による圧力損失により、絞り流路３８を通過する水は流速が所定量低下される。図６に示すように、絞り流路３８の流速調整手段により、絞り流路３８の中央部分３８ｃを通過する水の圧力損失を、左右端部分３８ｄを通過する水の圧力損失よりも小さくさせることができる。よって、中央部分３８ｃを通過する水の流速の低下が、左右端部分３８ｄを通過する水の流速の低下よりも小さくされている。よって、吐水口部４の中央部分４ａから吐水される水の流速を、左右端部分４ｂから吐水される水の流速よりも大きくすることができる。
【００４２】
図１０において矢印Ｆ６で示し、さらに、図１１にも示すように、吐水口部４から吐水された水は、ほぼ一定の幅及び厚みの安定した帯状（水膜状）の流水の流れとして空中に放物線を描いて下方に流下する。吐水口部４の中央部分４ａから吐水される水の飛距離は、吐水口部４の左右端部分４ｂから吐水される水の飛距離よりも大きくされる。よって、浴槽２内に座った姿勢の使用者Ｈの肩、背中等の上半身への着水範囲Ｂは左右方向に直線状に形成された範囲となる。着水範囲Ｂは左右方向においてほぼ同じ高さとなり、左右方向において比較的均一となる。使用者Ｈに対して線状の吐水がなされるため、吐水された水を使用者Ｈに効率的に着水させることができ、また使用者Ｈに比較的均一な浴び心地を与えることができ、使用者Ｈの浴び心地を向上させることができる。
【００４３】
上述した本発明の実施形態による浴槽用吐水装置１によれば、絞り流路３８は、絞り流路３８の中央部分３８ｃを通過する水の流速の低下を、左右端部分３８ｄを通過する水の流速の低下よりも小さくさせるような流速調整手段を備えているので、吐水口部４の中央部分４ａから吐水される水の流速を、吐水口部４の左右端部分４ｂから吐水される水の流速よりも大きくすることができる。よって、吐水口部４の中央部分４ａから吐水される水を、左右端部分４ｂから吐水される水よりも前方の位置に吐水することができる。従って、本発明によれば、吐水口部４の開口部分の中央部分４ａが左右端部分４ｂよりも後方に位置するように吐水口部４が湾曲して形成されていても、使用者の肩付近に向けて吐水される水流の吐水形状が湾曲されにくく且つ線状にされることができ、使用者の浴び心地を向上させることができる。
また、本発明によれば、貯留室３６に流入した水は貯留室３６において左右方向に広げられた後に、流速調整手段を備える絞り流路３８を通過する。これにより、左右方向に幅広の吐水の水流が形成されやすくなると共にこの水流の吐水形状が湾曲されにくく且つ線状にされることができ、使用者の浴び心地を向上させることができる。
【００４４】
また、本発明の実施形態による浴槽用吐水装置１によれば、絞り流路３８の流速調整手段は、絞り流路３８の中央部分３８ｃの前後方向の長さＸ２を、左右端部分３８ｄの前後方向の長さＸ１より短くすることにより形成される。これにより、絞り流路３８の中央部分３８ｃを通過する水の圧力損失を、左右端部分３８ｄを通過する水の圧力損失よりも小さくさせることができる。よって、吐水口部４の中央部分４ａから吐水される水の流速を、吐水口部４の左右端部分４ｂから吐水される水の流速よりも大きくすることができる。従って、本発明によれば、吐水口部４の開口部分の中央部分４ａが左右端部分４ｂよりも後方に位置するように吐水口部４が湾曲して形成されていても、比較的簡単な構成により、使用者の肩付近に向けて吐水される水流の吐水形状が湾曲されにくくすることができる。
【００４５】
さらに、本発明の実施形態による浴槽用吐水装置１によれば、吐水口部４は、中央部分４ａから左右端部分４ｂまでの流路の高さを一定にすることにより形成される。これにより、吐水口部４の中央部分４ａを通過する水の圧力損失を、左右端部分４ｂを通過する水の圧力損失よりも小さくさせることができる。よって、本発明によれば、吐水口部４の高さを中央部分４ａから左右端部分４ｂまで一定の高さすることで、幅広の膜状に吐出された水の膜厚が乱れてしまって吐出された膜状の水が左右に分断されてしまうことを抑制しながらも、吐水口部４の中央部分４ａから吐水される水の流速を、吐水口部４の左右端部分４ｂから吐水される水の流速よりも大きくすることができる。
【００４６】
さらに、本発明の実施形態による浴槽用吐水装置１によれば、傾斜部４２は、絞り流路３８に向かう水が加速され且つ乱流を発生させることを抑制する。さらに、この傾斜部４２と絞り流路３８との接続部分が、吐水口部４の左右端部分４ｂを結ぶ仮想線Ａと平行に延びるように形成されている。従って、絞り流路３８に、中央部分３８ｃを通過する水の流速の低下を、左右端部分３８ｄを通過する水の流速の低下よりも小さくさせるような流速調整手段が形成されている場合においても、傾斜部４２から絞り流路３８に流入する水が、仮想線Ａに対して比較的均等に広がるように流れることができる。よって、本発明によれば、傾斜部４２から絞り流路３８に流れる水が、水の流速の低下が小さい中央部分３８ｃの流れに引かれて、縮流を生じさせてしまうことを抑制できる。これにより、使用者Ｈの肩付近に向けて吐水される水流の吐水形状が乱れることを抑制できる。
【００４７】
さらに、本発明の実施形態による浴槽用吐水装置１によれば、傾斜部４２によって、絞り流路３８に向かう水が加速され且つ乱流を発生させることを抑制する。さらに、貯留室３６と傾斜部４２との接続部分が、吐水口部４の左右端部分４ｂを結ぶ仮想線Ａと平行に延びるように形成されている。従って、絞り流路３８に、中央部分３８ｃを通過する水の流速の低下を、左右端部分３８ｄを通過する水の流速の低下よりも小さくさせるような流速調整手段が形成されている場合においても、貯留室３６から傾斜部４２に流れる水が、仮想線Ａに対して比較的均等に広がるように流れることができる。よって、本発明によれば、傾斜部４２から絞り流路３８に流入する水が、比較的均等に広がるように流れ、水の流速の低下が小さい中央部分３８ｃの流れに引かれて、縮流を生じさせてしまうことを抑制できる。これにより、使用者Ｈの肩付近に向けて吐水される水流の吐水形状が乱れることを抑制できる。
【００４８】
図１２は、本発明の実施形態による浴槽装置における、制御動作を示すフローチャートである。
【００４９】
操作部３０を使用者Ｈが操作すると（Ｓ１００）、制御部２８は、ポンプ１０を動作させ、吐水部５の吐水口部４から浴槽２内の湯水を吐水させる（Ｓ１０２）。この際、検出部９は、浴槽２内の湯水の温度を検出する（Ｓ１０４）。
【００５０】
検出部９が検出した浴槽２内の湯水の温度が第１温度より高い温度、例えば４３度より高い温度であった場合、制御部２８は、ポンプ１０の回転数を設定値より低くなるように動作させる（Ｓ１０６）。この設定値とは、例えば、「検出部９が検出した浴槽２内の湯水の温度が、第１温度以下の温度、例えば４３度以下の温度であった場合の、ポンプ１０の回転数」である。なお、検出部９が検出した浴槽２内の湯水の温度が第１温度以下の温度であった場合は、制御部２８はポンプ１０の回転数を維持し続ける。制御部２８がポンプ１０の回転数を設定値より低くなるように動作させると、吐水部５の吐水口部４から吐水される浴槽２内の湯水の水量および流速が、減少する（Ｓ１０８）。そして、制御部２８は、本一連の制御動作を終了させる（Ｓ１１０）。
なお、第１温度は、設計者によって制御部２８に予め設定された温度である。また、本制御動作を、所定時間毎、例えば１０分に１度、行うように自動制御されるものであっても良い。また、本制御動作を、操作部３０を使用者Ｈが操作する度に、自動的に行うようなものであっても良い。
【００５１】
本発明の実施形態による浴槽用吐水装置１によれば、検出部９によって検出された湯水の温度が４３度である第１の温度であった場合には、吐水部５の吐水口部４から湯水を第１の流量で吐出可能としている。詳述すると、検出部９によって検出された湯水の温度が４３度である第１の温度以下の温度であった場合には、吐水部５の吐水口部４からの湯水の流量を変化させずに吐出可能としている。そして、湯水の温度が４３度より高い温度である、第１温度より高い温度である第２温度、であった場合には、吐水部５の吐水口部４から湯水を第１の流量より少ない流量である第２の流量で吐出可能とする。このため、高い温度の湯水を浴槽用吐水装置１によって入浴者の首に吐出した際にも、入浴者の首が急激かつ必要以上に暖められてしまうことを抑制できる。したがって、入浴者が早期に逆上せてしまうことを抑制でき、入浴者はより快適な入浴を楽しめるようになる。
【００５２】
図１３は、本発明の他の実施形態による浴槽装置における、制御動作を示すフローチャートである。
【００５３】
操作部３０を使用者Ｈが操作すると（Ｓ２００）、制御部２８は、ポンプ１０を動作させ、吐水部５の吐水口部４から浴槽２内の湯水を吐水させる（Ｓ２０２）。この際、検出部９は、浴槽２内の湯水の温度を検出する（Ｓ２０４）。
【００５４】
検出部９が検出した浴槽２内の湯水の温度が第１温度より高い温度、例えば４３度より高い温度であった場合、制御部２８は、ポンプ１０の回転を停止させるように動作させる（Ｓ２０６）。この設定値とは、例えば、「検出部９が検出した浴槽２内の湯水の温度が、第１温度以下の温度、例えば４３度以下の温度であった場合の、ポンプ１０の回転数」である。なお、検出部９が検出した浴槽２内の湯水の温度が第１温度以下の温度であった場合は、制御部２８はポンプ１０の回転数を維持し続ける。制御部２８がポンプ１０の回転が停止させると、吐水部５の吐水口部４からの浴槽２内の湯水の吐出も停止する（Ｓ２０８）。そして、制御部２８は、本一連の制御動作を終了させる（Ｓ２１０）。
なお、第１温度は、設計者によって制御部２８に予め設定された温度である。また、本制御動作を、所定時間毎、例えば１０分に１度、行うように自動制御されるものであっても良い。また、本制御動作を、操作部３０を使用者Ｈが操作する度に、自動的に行うようなものであっても良い。
【００５５】
本実施形態による浴槽用吐水装置１によれば、検出部９によって検出された湯水の温度が４３度である第１温度であった場合には吐水部５の吐水口部４から湯水を第１の流量で吐出可能としている。詳述すると、検出部９によって検出された湯水の温度が４３度である第１の温度以下の温度であった場合には、吐水部５の吐水口部４からの湯水の流量を変化させずに吐出可能としている。そして、湯水の温度が４３度より高い温度である、第１温度より高い温度である第２温度、であった場合には吐水部５の吐水口部４からの湯水の吐出を禁止する。このため、高い温度の湯水を浴槽用吐水装置１によって入浴者の首に吐出した際にも、入浴者の首が急激かつ必要以上に暖められてしまうことを抑制できる。したがって、入浴者が早期に逆上せてしまうことを抑制でき、入浴者はより快適な入浴を楽しめるようになる。
【００５６】
図１４は、本発明の他の実施形態による浴槽装置における、制御動作を示すフローチャートである。
【００５７】
操作部３０を使用者Ｈが操作すると（Ｓ３００）、制御部２８は、ポンプ１０を動作させ、吐水部５の吐水口部４から浴槽２内の湯水を吐水させる（Ｓ３０２）。この際、検出部９は、浴槽２内の湯水の温度を検出する（Ｓ３０４）。
【００５８】
検出部９が検出した浴槽２内の湯水の温度が第１温度より高い温度、例えば４３度より高い温度であった場合、制御部２８は、ポンプ１０の回転数を設定値より低くなるように動作させる（Ｓ３０６）。この設定値とは、例えば、「検出部９が検出した浴槽２内の湯水の温度が、第１温度以下の温度、例えば４３度以下の温度であった場合の、ポンプ１０の回転数」である。なお、検出部９が検出した浴槽２内の湯水の温度が第１温度以下の温度であった場合は、制御部２８はポンプ１０の回転数を維持し続ける。制御部２８がポンプ１０の回転数を設定値より低くなるように動作させると、吐水部５の吐水口部４から吐水される浴槽２内の湯水の水量および流速が、減少する（Ｓ３０８）。なお、第１温度は、設計者によって制御部２８に予め設定された温度である。
【００５９】
制御部２８がポンプ１０の回転数を設定値より低くなるように動作させ、吐水部５の吐水口部４から吐水される浴槽２内の湯水の水量および流速が減少すると、制御部２８は、ジェットポンプユニット２０のチャンバー部３２と図示しない給水管とを繋ぐ経路を開閉するための電磁弁（図示なし）を開く制御を実行する（Ｓ３１０）。その結果、チャンバー部３２内に、給水管から水道水が流入される。吐水部５の吐水口部４からは、浴槽２内の湯水と水道水とが混ざって吐出されるため、浴槽２内の湯水より低い温度の湯水が吐出される（Ｓ３１２）。そして、制御部２８は、本一連の制御動作を終了させる（Ｓ３１４）。
【００６０】
本実施形態において、電磁弁は、開弁されてから所定時間、例えば３分経過した後、自動的に閉じるように制御されても良い。このことにより、必要以上に浴槽２内の水位が上昇してしまうことを抑制できる。
【００６１】
また、本実施形態において説明した通り、電磁弁は、吐水部５より上流側に設置されることが好ましい。このことにより、吐水部５の吐水口部４に水が流れるまでに、浴槽２内の湯水と水道水とがよく混ざることになり、吐出される湯水の温度が均一化されやすくなる。
【００６２】
本実施形態による浴槽用吐水装置１によれば、検出部９によって検出された湯水の温度が４３度である第１温度であった場合には吐水部５の吐水口部４から浴槽２内の湯水を吐出可能としている。詳述すると、検出部９によって検出された湯水の温度が４３度である第１の温度以下の温度であった場合には、吐水部５の吐水口部４からの湯水の流量を変化させずに吐出可能としている。そして、湯水の温度が４３度より高い温度である、第１温度より高い温度である第２温度、であった場合には、水道水及び湯水を吐水口部４から吐水可能とする。このため、高い温度の湯水を浴槽用吐水装置１によって入浴者の首に吐出した際にも、入浴者の首が急激かつ必要以上に暖められてしまうことを抑制できる。したがって、入浴者が早期に逆上せてしまうことを抑制でき、入浴者はより快適な入浴を楽しめるようになる。  
【００６３】
また、本実施形態による浴槽用吐水装置１によれば、検出部９によって検出された湯水の温度が４３度より高い温度である、第１温度より高い温度である第２温度、であった場合に、水道水及び浴槽２内からの湯水のうち浴槽２内からの湯水の流量は、検出部９によって検出された湯水の温度が４３度である第１温度であった場合にポンプ１０から供給される浴槽２内からの湯水の流量より、少なくなるように構成されている。したがって、高い温度の湯水を浴槽用吐水装置１によって入浴者の首に吐出した際に入浴者の首が急激かつ必要以上に暖められてしまうことを抑制するために、吐水口部４から水道水を浴槽２内からの浴槽２内からの湯水に混ぜて吐出させた場合にも、吐水口部４から吐出される全体の水の流量が上昇してしまうことで流速が上昇してしまうことを抑制できる。したがって、吐水口部４から水道水を浴槽２内からの湯水に混ぜて吐出させた場合にも、設計者が狙った入浴者の首の位置に水が当たらなくなってしまうことを抑制でき、入浴者は首への打たせ湯効果を受けることができるため、快適な入浴を楽しめるようになる。
【００６４】
本実施形態による浴槽用吐水装置１によれば、検出部９によって検出された湯水の温度が４３度より高い温度である、第１温度より高い温度である第２温度であった場合に、水道水及び湯水を吐水口部４から吐水可能とする。また、入浴者の体温、例えば３７度に湯温が近づくと水道水からの給水を止める制御を行っても良い。これによって、水道水を加えて浴槽２内の温度が下がってしまい入浴者の体温より低い温度となることを防ぎ、入浴者が快適な温度で長時間入浴を楽しめるようになる。
【００６５】
以上説明した通り、本発明の実施形態においては、浴槽２内の湯水を取り込み、取り込んだ湯水を浴槽２の水面よりも上方から浴槽２内へ吐出させる浴槽用吐水装置１であって、湯水を浴槽２内へ吐出させる吐水口部４が設けられた吐水部５と、浴槽２内の湯水を吐水部５へ供給するポンプ１０と、ポンプ１０による湯水の供給動作を制御する制御部２８と、湯水の温度を検出する検出部９と、を備え、制御部２８は検出部９によって検出された湯水の温度が第１温度より高い温度であった場合には、吐水口部４から吐水される湯水の単位時間当たりの合計熱量が、検出部９によって検出された湯水の温度が第１温度であった場合に吐水口部４から吐水される前記湯水の単位時間当たりの合計熱量より、少なくなるように制御を行う自動制御機能を有する。このことを表したグラフが、図１６である。即ち、制御部２８は検出部９によって検出された湯水の温度が第１温度より高い温度であった場合には、吐水口部４から吐水される湯水の単位時間当たりの合計熱量が、検出部９によって検出された湯水の温度が第１温度であった場合に吐水口部４から吐水される前記湯水の単位時間当たりの合計熱量Ｑ１より、小さい熱量Ｑ２になるように制御を行う。なお、制御部２８は検出部９によって検出された湯水の温度が第１温度より高い温度であった場合に、吐水口部４から吐水される湯水の単位時間当たりの合計熱量が、検出部９によって検出された湯水の温度が第１温度であった場合に吐水口部４から吐水される前記湯水の単位時間当たりの合計熱量Ｑ１と同じ熱量になるように制御を行うものであっても、良い。
このことにより、検出部９によって検出された湯水の温度が第１温度より高い温度であった場合には、吐水口部４から吐水される湯水の単位時間当たりの合計熱量が少なくなるように制御を行うため、高い温度の湯水を浴槽用吐水装置１によって入浴者の肩に吐出した際にも、入浴者の首が急激かつ必要以上に暖められてしまうことを抑制でき、入浴者が早期に逆上せてしまうことを抑制できる。したがって、入浴者はより快適な入浴を楽しめるようになる。
【００６６】
本発明は、図１２〜１４に示した制御動作に限らず、例えば、検出部９によって検出された湯水の温度が４３度より高い温度である、第１温度より高い温度である第２温度であった場合に、吐水部５へ送水する浴槽２内の水の導水経路を、ヒートシンク機能を有する経路を通るように切り替える制御を行うものであっても良い。ヒートシンク機能を有する経路とは、例えば、検出部９によって検出された湯水の温度が第１温度であった場合に吐水部５へ送水する浴槽２内の水の導水経路よりも、放熱性が高い素材で形成された管路である。また、ヒートシンク機能を有する経路とは、例えば、検出部９によって検出された湯水の温度が第１温度であった場合に吐水部５へ送水する浴槽２内の水の導水経路よりも、長い管路である。
【００６７】
図１５は、本発明の他の実施形態による浴槽装置における、制御動作を示すフローチャートである。
【００６８】
操作部３０を使用者Ｈが操作すると（Ｓ４００）、制御部２８は、ポンプ１０を動作させ、吐水部５の吐水口部４から浴槽２内の湯水を吐水させる（Ｓ４０２）。
【００６９】
この際、浴槽２内の湯水の設定温度（例えば給湯時の温度）が第１温度より高い温度、例えば４３度より高い温度であった場合、制御部２８は、ポンプ１０の回転数を設定値より低くなるように動作させる（Ｓ４０４およびＳ４０６）。なお、浴槽２内の湯水の設定温度が第１温度以下の温度であった場合は、制御部２８はポンプ１０の回転数を維持し続ける。この設定値とは、例えば、「浴槽２内の湯水の設定温度が第１温度以下、例えば４３度以下であった場合の、ポンプ１０の回転数」である。制御部２８がポンプ１０の回転数を設定値より低くなるように動作させると、吐水部５の吐水口部４から吐水される浴槽２内の湯水の水量および流速が、減少する（Ｓ１０８）。そして、制御部２８は、本一連の制御動作を終了させる（Ｓ１１０）。なお、本制御動作を、操作部３０を使用者Ｈが操作する度に、自動的に行うようなものであっても良い。
【００７０】
図１５に示した制御動作では、浴槽２内の湯水の設定温度（例えば給湯時の温度）が第１温度より高い温度、例えば４３度より高い温度であった場合、制御部２８は、ポンプ１０の回転数を設定値より低くなるように動作させるものであったが、本発明はそれに限らない。例えば、浴槽２内の湯水の設定温度（例えば給湯時の温度）をトリガーに、図１３や図１４のような、ポンプ１０の動作停止や、水道水混入を行っても良い。また、例えば、浴槽２内の湯水の設定温度（例えば給湯時の温度）をトリガーに、吐水部５へ送水する浴槽２内の水の導水経路を、ヒートシンク機能を有する経路を通るように切り替える制御を行うものであっても良い。なお、ヒートシンク機能を有する経路は、上述したような経路を指す。
【００７１】
本実施形態による浴槽用吐水装置１によれば、図１２〜図１４で示した制御動作と同様に、高い温度の湯水を浴槽用吐水装置１によって入浴者の首に吐出した際にも、入浴者の首が急激かつ必要以上に暖められてしまうことを抑制できるといった効果を奏するものである。したがって、入浴者が早期に逆上せてしまうことを抑制でき、入浴者はより快適な入浴を楽しめるようになる。
【００７２】
以上説明した通り、本発明の実施形態においては、浴槽２と、浴槽内に使用者が設定した温度の湯水を給水する給水部１０と、浴槽２内の湯水を取り込み、取り込んだ湯水を浴槽２の水面よりも上方から浴槽２内へ吐出させる浴槽用吐水装置１と、を備えた浴槽装置３であって、浴槽用吐水装置１は、湯水を浴槽２内へ吐出させる吐水口部４が設けられた吐水部５と、浴槽２内の湯水を吐水部５へ供給するポンプ１０と、ポンプ１０による湯水の供給動作を制御する制御部２８と、を有し、制御部２８は、使用者が設定した湯水の温度が第１温度より高い温度であった場合には、吐水口部４から吐水される湯水の単位時間当たりの合計熱量を、使用者が設定した湯水の温度が第１温度であった場合に吐水口部４から吐水される湯水の単位時間当たりの合計熱量より、少なくなるように制御を行う自動制御機能を有する。このことにより、使用者が設定した湯水の温度が第１温度以上であった場合には、吐水口部４から吐水される湯水の単位時間当たりの合計熱量が少なくなるように制御を行うため、高い温度の湯水を浴槽用吐水装置１によって入浴者の肩に吐出した際にも、入浴者の首が急激かつ必要以上に暖められてしまうことを抑制でき、入浴者が早期に逆上せてしまうことを抑制できる。したがって、入浴者はより快適な入浴を楽しめるようになる。  
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽装置３や浴槽用吐水装置１などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
１            浴槽用吐水装置（浴槽水循環型吐水装置）
２            浴槽
３            浴槽装置
４            吐水口部（吐水孔）
５            吐水部
９            検出部
１０          給水部
３６            貯留室
３８            絞り流路
３８ｃ            中央部分
３８ｄ            左右端部分
４２            傾斜部
４２ａ            上流端
４２ｂ            下流端
【図１】
2019150334.tif 000003
【図２】
2019150334.tif 000004
【図３】
2019150334.tif 000005
【図４】
2019150334.tif 000006
【図５】
2019150334.tif 000007
【図６】
2019150334.tif 000008
【図７】
2019150334.tif 000009
【図８】
2019150334.tif 000010
【図９】
2019150334.tif 000011
【図１０】
2019150334.tif 000012
【図１１】
2019150334.tif 000013
【図１２】
2019150334.tif 000014
【図１３】
2019150334.tif 000015
【図１４】
2019150334.tif 000016
【図１５】
2019150334.tif 000017
【図１６】
2019150334.tif 000018